(57)【要約】      （修正有）【課題】歯と歯茎を傷めない歯ブラシヘッドを提供する。【解決手段】複数の穴が形成される基材を有する本体１０と、本体に取り付けるフレームとを備え、本体の基材は、枠部材１０１と、中央部材１０Ｂと、２つの周辺部材１０Ｃ、１０Ｄとを有し、枠部材は、内部に収容空間が形成され、該収容空間に面する前部内面と、後内面と、前部内面と後内面との間に形成される２つの側部内面とを有し、中央部材は、枠部材の前部内面に連結される少なくとも１つの前部連結部１０Ｅと、枠部材１０１の後部内面に連結される少なくとも１つの後部連結部１０Ｆとを有すると共に、枠部材の収容空間に位置し、２つの周辺部材は、それぞれ２つの側部内面の内の１つに可撓的に連結される少なくとも１つの側部連結部１０Ｇ、１０Ｈ、１０Ｉ、１０Ｊを有すると共に、それぞれその連結される枠部材の側部内面と中央部材との間に位置することを特徴とする。【選択図】図１Ａ
0003200749.tif 000002
【実用新案登録請求の範囲】
【請求項１】
複数の穴が形成される基材を有する本体と、前記本体に取り付けるフレームとを備え、
前記本体の基材は、枠部材と、中央部材と、２つの周辺部材とを有し、
前記枠部材は、内部に収容空間が形成され、該収容空間に面する前部内面と、後内面と、前記前部内面と後内面との間に形成される２つの側部内面とを有し、
前記中央部材は、前記枠部材の前部内面に連結される少なくとも１つの前部連結部と、前記枠部材の後部内面に連結される少なくとも１つの後部連結部とを有すると共に、前記枠部材の収容空間に位置し、
前記２つの周辺部材は、それぞれ２つの側部内面の内の１つに可撓的に連結される少なくとも１つの側部連結部を有すると共に、それぞれその連結される前記枠部材の側部内面と前記中央部材との間に位置することを特徴とする歯ブラシヘッド。
【請求項２】
前記本体の基材の枠部材の前部内面、後内面、および２つの側部内面と、前記中央部材および２つの周辺部材との間に、または／および前記中央部材と２つの周辺部材の何れか１つとの間に、それぞれ隙間が形成されることを特徴とする請求項１に記載の歯ブラシヘッド。
【請求項３】
前記２つの周辺部材は、それぞれ２つの側部内面の内の１つに可撓的に連結される２つの側部連結部を有することを特徴とする請求項１または請求項２に記載の歯ブラシヘッド。
【請求項４】
前記フレームは、前記本体の内側および底部の周辺に取り付けられることを特徴とする請求項１ないし請求項３のいずれか一項に記載の歯ブラシヘッド。
【請求項５】
前記本体は、硬質材料からなるものであることを特徴とする請求項４に記載の歯ブラシヘッド。
【請求項６】
前記フレームは、軟質材料からなるものであることを特徴とする請求項４に記載の歯ブラシヘッド。
【考案の詳細な説明】
【技術分野】
【０００１】
本考案は、特に可撓的な本体と軟質なフレームとを備え、容易に４５度の角度で歯と歯茎の境目に当てることができることにより、歯と歯茎を傷めないようにプレッシャーを軽減させる歯ブラシヘッドに関するものである。
【背景技術】
【０００２】
正確でない方式で歯磨きをすることが歯周病の高罹患率の要因の一つである。現在、有効かつ正確な歯磨き方（ブラッシング）として国際的に広く認められているのは、バス法（Ｂａｓｓ  Ｍｅｔｈｏｄ）である。バス法では、歯ブラシの毛を４５度の角度で歯と歯茎の境目に当て動かした後、上顎歯では下方に、下顎歯では上方に向けて、歯ブラシを回転させる。歯を磨く順番としては、頬側、かみ合わせ面、舌側の順番が好適とされる。各部位を１０回ないし２０回歯ブラシを動かすよう、歯磨きをする時間は、約２分間とする。
【考案の概要】
【考案が解決しようとする課題】
【０００３】
しかしながら、従来の歯ブラシヘッドの設計は、平面状を呈する可撓性のない植毛基材が用いられるものであるので、使用者が容易に歯ブラシの毛を４５度で歯に当てる事ができない。また、ヘッドの植毛基材が既定の固定部に対して傾斜できる従来の技術があるが、歯に当てる歯ブラシの毛を正確な角度で傾げることはできない。なお、従来の歯ブラシヘッドの基材は、例えばプラスチックなどの硬質材料からなるものであるので、歯磨きをする時、力を入れて磨いてしまい、歯茎が傷を起こす場合がある。さらに、従来の歯ブラシヘッドの構造では、歯磨き後、水を歯ブラシから排除し難く、細菌が増殖してしまう。
【０００４】
そこで、案出されたのが本考案であって、上述した従来の技術の設計問題および衛生問題を解決し、容易に４５度の角度で歯と歯茎の境目に当てることができることにより、歯と歯茎を傷めないようにプレッシャーを軽減させる歯ブラシヘッドを提供することを目的としている。
【課題を解決するための手段】
【０００５】
本願の請求項１の考案は、複数の穴が形成される基材を有する本体と、前記本体に取り付けるフレームとを備え、
前記本体の基材は、枠部材と、中央部材と、２つの周辺部材とを有し、
前記枠部材は、内部に収容空間が形成され、該収容空間に面する前部内面と、後内面と、前記前部内面と後内面との間に形成される２つの側部内面とを有し、
前記中央部材は、前記枠部材の前部内面に連結される少なくとも１つの前部連結部と、前記枠部材の後部内面に連結される少なくとも１つの後部連結部とを有すると共に、前記枠部材の収容空間に位置し、
前記２つの周辺部材は、それぞれ２つの側部内面の内の１つに可撓的に連結される少なくとも１つの側部連結部を有すると共に、それぞれその連結される前記枠部材の側部内面と前記中央部材との間に位置することを特徴とする歯ブラシヘッド、を提供する。
【０００６】
本願の請求項２の考案は、前記本体の基材の枠部材の前部内面、後内面、および２つの側部内面と、前記中央部材および２つの周辺部材との間に、または／および前記中央部材と２つの周辺部材の何れか１つとの間に、それぞれ隙間が形成されることを特徴とする請求項１に記載の歯ブラシヘッド、を提供する。
【０００７】
本願の請求項３の考案は、前記２つの周辺部材は、それぞれ２つの側部内面の内の１つに可撓的に連結される２つの側部連結部を有することを特徴とする請求項１または請求項２に記載の歯ブラシヘッド、を提供する。
【０００８】
本願の請求項４の考案は、前記フレームは、前記本体の内側および底部の周辺に取り付けられることを特徴とする請求項１ないし請求項３のいずれか一項に記載の歯ブラシヘッド、を提供する。
【０００９】
本願の請求項５の考案は、前記本体は、硬質材料からなるものであることを特徴とする請求項４に記載の歯ブラシヘッド、を提供する。
【００１０】
本願の請求項６の考案は、前記フレームは、軟質材料からなるものであることを特徴とする請求項４に記載の歯ブラシヘッド、を提供する。
【考案の効果】
【００１１】
本考案は上記の課題を解決するものであり、上述した構成により、使用者が正確にバス法を実行することができると共に、歯茎が傷を起こすことなく、歯ブラシヘッドの衛生状態を簡単に維持することができる。
【００１２】
また、本考案は可撓的な本体と軟質なフレームとを備えるので、歯ブラシの毛を容易に４５度の角度で傾げ、歯と歯茎の境目に当てることができることから、歯と歯茎を傷めないようにプレッシャーを軽減させる同時に、中央部材に植毛される毛が歯の表面と直交し、より効率的に歯を磨くことができる。
【００１３】
さらに、前記本体およびフレームがそれぞれ硬質材料および軟質材料からなることで、歯磨き時、歯及び歯茎に対するプレッシャーが低減され、歯茎に傷つくことが避けられる。また、前記基材は、その表面で舌苔をこすり落とすように利用し得る。
【００１４】
前記本体の基材の中央部材と２つの周辺部材の何れか１つとの間にそれぞれ形成される隙間を通して、歯磨き後、歯ブラシを振ることにより水分を簡単に排除することができる。また、基材に植えつけた毛の基部に溜まった汚れも、前記隙間に通して容易に洗い落とされるので、歯磨き後歯ブラシヘッドを乾燥させ易く、細菌の増殖を防止する効果を向上させる。
【図面の簡単な説明】
【００１５】
【図１Ａ】本考案に係る歯ブラシヘッドの本体の斜視図である。
【図１Ｂ】本考案に係る歯ブラシヘッドにおける前記本体に成形されるフレームの斜視図である。
【図２】本考案に係る歯ブラシヘッドの斜視図である。
【図３】本考案に係る歯ブラシヘッドの使用状態を示す断面図である。
【図４】本考案に係る歯ブラシヘッドの使用状態を示す他の断面図である。
【図５】本考案に係る歯ブラシヘッドの本体の平面図である。
【図６】本考案に係る歯ブラシヘッドの他の斜視図である。
【考案を実施するための形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１Ａ、図１Ｂ及び図２に示すように、本考案に係る歯ブラシヘッドは、本体１０と、前記本体１０に取り付けるフレーム２０とを備える。前記本体１０は、歯ブラシの毛３０の植毛に供する複数の植毛穴１０Ａが形成される基材を有する。また、図１Ａおよび図６に示すように、前記本体１０の基材は、枠部材１０１と、中央部材１０Ｂと、２つの周辺部材１０Ｃ、１０Ｄとを有する。前記２つの周辺部材１０Ｃ、１０Ｄは、右側周辺部材１０Ｃと左側周辺部材１０Ｄとからなる。
【００１８】
また、前記枠部材１０１の内部に収容空間が形成される。枠部材１０１は、前記収容空間に面する前部内面と、後内面と、前記前部内面と後内面との間に形成される２つの側部内面とを有する。本実施例において、前記中央部材１０Ｂは、前記枠部材１０１に結合され、該枠部材１０１の収容空間に位置し、前記枠部材１０１の前部内面に連結される前部連結部１０Ｅと、前記枠部材１０１の後部内面に連結される後部連結部１０Ｆとを有するので、該枠部材１０１の前部内面及び後部内面に固定される。
【００１９】
前記２つの周辺部材１０Ｃ、１０Ｄは、それぞれ前記枠部材１０１における２つの側部内面の内の１つに可撓的に連結されると共に、それぞれその連結される前記枠部材１０１の側部内面と前記中央部材１０Ｂとの間に位置する。即ち、前記右側周辺部材１０Ｃは、前記枠部材１０１における２つの側部内面の内の１つに、可撓的に連結される少なくとも１つの側部連結部を有する。また、前記左側周辺部材１０Ｄは、前記枠部材１０１におけるもう１つの側部内面に、可撓的に連結される少なくとも１つの側部連結部を有する。これにより、前記本体１０の基材の２つの周辺部材１０Ｃ、１０Ｄは、その可撓性により回動することができる。
【００２０】
図１Ａおよび図３に示すように、本実施例において、前記右側周辺部材１０Ｃは、同側に前記枠部材１０１の側部内面に連結される側部連結部１０Ｇ、１０Ｈが２つ形成される。該右側周辺部材１０Ｃは、前記２つの側部連結部１０Ｇ、１０Ｈに対して回動することができることから、該右側周辺部材１０Ｃに植えつけた毛３０を容易に４５度の角度で歯にあてるので、歯磨きが有効に実行される。図１Ａおよび図４に示すように、前記左側周辺部材１０Ｄは、同様に前記枠部材１０１の側部内面に連結される２つの側部連結部１０Ｉ、１０Ｊが同側に形成される。よって、前記２つの側部連結部１０Ｉ、１０Ｊに対して回動することができる前記左側周辺部材１０Ｄに植えつけた毛３０を、歯磨きが有効に実行されるように、４５度の角度で歯にあてることができる。
【００２１】
上述した中央部材１０Ｂ、２つの周辺部材１０Ｃ、１０Ｄ、ならびに該中央部材１０Ｂ及び２つの周辺部材を保持する枠部材１０１を有する構成により、本考案に係る歯ブラシヘッドに植毛された毛３０は多様な動きに対応し得る。よって、本考案に係る歯ブラシヘッドを用いる歯ブラシは、バス法の実行に好適なものである。使用時、前記毛３０を歯と歯茎との境目にあて、適度な圧力をかければ、毛３０を４５度の角度にして、歯と歯茎との間の歯周ポケットを徹底に清潔にすることが容易に行えるので、虫歯、歯周病のリスクが大幅に抑制される。
【００２２】
本考案の１つの実施例において、該本体１０の基材は少なくとも１つの中央部材１０Ｂを有する。前記本体１０の基材の前記中央部材１０Ｂと２つの周辺部材１０Ｃ、１０Ｄの何れか１つとの間に、それぞれ隙間４０が形成される。歯磨き後、本考案に係る歯ブラシヘッドを採用する歯ブラシを振り、前記隙間４０を通して水を切ることができると共に、前記隙間４０を通して水を注入し、汚れが簡単に洗い落とされる。また、静置されている使用後の歯ブラシに含有する余分の水は、前記隙間４０を通して徐々に流出し、前記本体１０に溜まらない。
【００２３】
本考案のもう１つの実施例では、前記右側周辺部材１０Ｃおよび左側周辺部材１０Ｄにそれぞれ少なくとも２つの側部連結部１０Ｇ、１０Ｈ、１０Ｉ、１０Ｊが設けられる。この構成によれば、それぞれ該枠部材１０１の側部内面に連結される側部連結部１０Ｇ、１０Ｈ、１０Ｉ、１０Ｊが回動軸になり、前記右側周辺部材１０Ｃおよび左側周辺部材１０Ｄの回動方向が好適に制限され、使用者の歯磨き動作に対応して、毛３０における歯及び歯茎に対して４５度の傾斜角度を自在に維持することができる。
【００２４】
図１Ａ、図１Ｂ及び図５に示すように、本考案の他の実施例は、前記本体１０と前記フレーム２０とからなる構成が二色射出成形、または３Ｄプリントにより製造されることが好ましい。特に、前記フレーム２０が前記本体１０の内側および底部の周辺に取り付けられるように構成されることが好適である。例えば、前記本体１０の側部連結部１０Ｇ、１０Ｈ、１０Ｉ、１０Ｊに、それぞれ対応する複数の嵌合部材２０Ａ、２０Ｂ、２０Ｃ、２０Ｄ、２０Ｅが、前記フレーム２０に形成される構成にしても構わない。特に、前記本体１０が例えばプラスチック製硬質材料からなることに対して、前記フレーム２０が例えばシリコン製軟質材料からなってもよい。上述した硬軟異質材料からなる本体１０とフレーム２０を有する歯ブラシヘッドは、前記本体１０における植毛された側の反対側、すなわち硬質材料からなる本体１０における前記フレーム２０にしゃへいされていない枠部材１０１の収容空間に位置する部分で舌苔をこすり落とすことができる。また、軟質材料からなるフレーム２０は、歯磨き時、歯茎に当たっても傷を起こさないようにする効果を提供することができる。
【産業上の利用可能性】
【００２５】
本考案は上記の構成を有するので、容易に４５度の角度で歯と歯茎の境目に当てることができることにより、歯と歯茎を傷めないようにプレッシャーを軽減させる歯ブラシヘッドを提供することができる。
【符号の説明】
【００２６】
１０１  枠部材
１０Ａ  植毛穴
１０Ｂ  中央部材
１０Ｃ  周辺部材
１０Ｄ  周辺部材
１０Ｅ  前部連結部
１０Ｆ  後部連結部
１０Ｇ  側部連結部
１０Ｈ  側部連結部
１０Ｉ  側部連結部
１０Ｊ  側部連結部
１０    本体
２０Ａ  嵌合部材
２０Ｂ  嵌合部材
２０Ｃ  嵌合部材
２０Ｄ  嵌合部材
２０Ｅ  嵌合部材
２０    フレーム
３０    毛
４０    隙間
【図１Ａ】
0003200749.tif 000003
【図１Ｂ】
0003200749.tif 000004
【図２】
0003200749.tif 000005
【図３】
0003200749.tif 000006
【図４】
0003200749.tif 000007
【図５】
0003200749.tif 000008
【図６】
0003200749.tif 000009